(57)【要約】      （修正有）【課題】装飾効果を高めることができる仏壇を提供する。【解決手段】仏壇Ｂは、本体１と、この本体１内に設けられた光源と、本体１の正面開口部を開閉する扉２と、この扉２に取り付けられた装飾体２０とを含むことを特徴とする。この装飾体２０は、透明又は半透明の基材と、この基材に当接した透光性を有する装飾部材と、この装飾部材を透明又は半透明の部材で被覆した被覆部材を有するものである。【選択図】図４
0003144818.tif 000002
【実用新案登録請求の範囲】
【請求項１】
本体と、
この本体内に設けられた光源と、
前記本体の正面開口部を開閉する扉と、
この扉に取り付けられた装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項２】
本体と、
この本体内の厨子の内部に設けられた光源と、
前記厨子の正面開口部を開閉する厨子扉と、
この厨子扉に取り付けられた装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項３】
本体と、
この本体内に設けられた光源と、
前記本体内の上部に取り付けられた欄間と、
この欄間に取り付けられた装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項４】
本体と、
この本体内に設けられた光源と、
前記本体内の上部に取り付けられた欄間と、
この欄間の全体を構成した装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項５】
本体と、
この本体の正面開口部を開閉する扉と、
前記正面開口部に対向すると共に、前記本体内に取り付けられた飾り板と、
この飾り板の後方に設けられた室と、
この室内に設けられた光源と、
前記飾り板に取り付けられた装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項６】
本体と、
この本体の正面開口部を開閉する扉と、
前記正面開口部に対向すると共に、前記本体内に取り付けられた飾り板と、
この飾り板の後方に設けられた室と、
この室内に設けられた光源と、
前記飾り板の全体を構成した装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項７】
本体と、
この本体内に設けられると共に、仏具を載せる受台と、
前記本体内に設けられると共に、前記受台を下方より照らす光源と、
前記受台に取り付けられた装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項８】
本体と、
この本体内に設けられると共に、仏具を載せる受台と、
前記本体内に設けられると共に、前記受台を下方より照らす光源と、
前記受台の全体を構成した装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇。
【請求項９】
基材は、ガラス、又は、強化ガラスであり、
装飾部材は、模様を有した和紙である
ことを特徴とする請求項１〜８のいずれかの仏壇。
【請求項１０】
装飾体は、基材と、この基材の一方の面に設けられた透光性を有する第１の装飾部材と、この第１の装飾部材を透明又は半透明の部材で被覆した第１の被覆部材と、前記基材の他方の面に設けられた透光性を有する第２の装飾部材と、この第２の装飾部材を透明又は半透明の部材で被覆した第２の被覆部材とを有する
ことを特徴とする請求項１〜９のいずれかの仏壇。
【請求項１１】
経机本体と、
この経机本体内に設けられると共に、前記経机本体の天板を下方より照らす光源と、    前記経机本体の天板に取り付けられた装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇用経机。
【請求項１２】
経机本体と、
この経机本体内に設けられると共に、前記経机本体の天板を下方より照らす光源と、    前記経机本体の天板の全体を構成した装飾体と、
この装飾体は、透明又は半透明の基材と、この基材の一方の面に設けられた透光性を有する装飾部材と、この装飾部材を透明又は半透明の部材で被覆した被覆部材とを有する    ことを特徴とする仏壇用経机。
【請求項１３】
基材は、ガラス、又は、強化ガラスであり、
装飾部材は、模様を有した和紙である
ことを特徴とする請求項１１又は１２の仏壇用経机。
【請求項１４】
装飾体は、基材と、この基材の一方の面に設けられた透光性を有する第１の装飾部材と、この第１の装飾部材を透明又は半透明の部材で被覆した第１の被覆部材と、前記基材の他方の面に設けられた透光性を有する第２の装飾部材と、この第２の装飾部材を透明又は半透明の部材で被覆した第２の被覆部材とを有する
ことを特徴とする請求項請求項１１〜１３のいずれかの仏壇用経机。
【考案の詳細な説明】
【技術分野】
【０００１】
本考案は、仏壇及び仏壇用経机に係り、特に、装飾効果を高めることができる仏壇及び仏壇用経机に関する。
【背景技術】
【０００２】
仏壇本体の正面開口部を開閉する扉の一部にガラスが取り付けられると共に、該ガラスの裏面にフィルムが付着された仏壇がある。
【０００３】
しかしながら、上述の仏壇にあっては、裏面にフィルムを貼り付けたガラスでは、装飾効果の点で今一歩といった感があった。
【考案の開示】
【考案が解決しようとする課題】
【０００４】
本考案は、装飾効果を高めることができる仏壇及び仏壇用経机を提供することを目的としている。
【課題を解決するための手段】
【０００５】
前記した目的を達成するための本考案の仏壇は、本体と、この本体内に設けられた光源と、前記本体の正面開口部を開閉する扉と、この扉に取り付けられた装飾体と、この装飾体は、透明又は半透明の基材と、この基材の一方の面に設けられた透光性を有する装飾部材と、この装飾部材を透明又は半透明の部材で被覆した被覆部材とを有するものである。
【０００６】
また、請求項２記載の仏壇は、本体と、この本体内の厨子の内部に設けられた光源と、前記厨子の正面開口部を開閉する厨子扉と、この厨子扉に取り付けられた装飾体と、この装飾体は、透明又は半透明の基材と、この基材の一方の面に設けられた透光性を有する装飾部材と、この装飾部材を透明又は半透明の部材で被覆した被覆部材とを有するものである。
【０００７】
また、請求項３記載の仏壇は、本体と、この本体内に設けられた光源と、前記本体内の上部に取り付けられた欄間と、この欄間に取り付けられた装飾体と、この装飾体は、透明又は半透明の基材と、この基材の一方の面に設けられた透光性を有する装飾部材と、この装飾部材を透明又は半透明の部材で被覆した被覆部材とを有するものである。
【０００８】
また、請求項４記載の仏壇は、本体と、この本体内に設けられた光源と、前記本体内の上部に取り付けられた欄間と、この欄間の全体を構成した装飾体と、この装飾体は、透明又は半透明の基材と、この基材の一方の面に設けられた透光性を有する装飾部材と、この装飾部材を透明又は半透明の部材で被覆した被覆部材とを有するものである。
【０００９】
また、請求項５記載の仏壇は、本体と、この本体の正面開口部を開閉する扉と、前記正面開口部に対向すると共に、前記本体内に取り付けられた飾り板と、この飾り板の後方に設けられた室と、この室内に設けられた光源と、前記飾り板に取り付けられた装飾体と、この装飾体は、透明又は半透明の基材と、この基材の一方の面に設けられた透光性を有する装飾部材と、この装飾部材を透明又は半透明の部材で被覆した被覆部材とを有するものである。
【００１０】
また、請求項６記載の仏壇は、本体と、この本体の正面開口部を開閉する扉と、前記正面開口部に対向すると共に、前記本体内に取り付けられた飾り板と、この飾り板の後方に設けられた室と、この室内に設けられた光源と、前記飾り板の全体を構成した装飾体と、この装飾体は、透明又は半透明の基材と、この基材の一方の面に設けられた透光性を有する装飾部材と、この装飾部材を透明又は半透明の部材で被覆した被覆部材とを有するものである。
【００１１】
また、請求項７記載の仏壇は、本体と、この本体内に設けられると共に、仏具を載せる受台と、前記本体内に設けられると共に、前記受台を下方より照らす光源と、前記受台に取り付けられた装飾体と、この装飾体は、透明又は半透明の基材と、この基材の一方の面に設けられた透光性を有する装飾部材と、この装飾部材を透明又は半透明の部材で被覆した被覆部材とを有するものである。
【００１２】
また、請求項８記載の仏壇は、本体と、この本体内に設けられると共に、仏具を載せる受台と、前記本体内に設けられると共に、前記受台を下方より照らす光源と、前記受台の全体を構成した装飾体と、この装飾体は、透明又は半透明の基材と、この基材の一方の面に設けられた透光性を有する装飾部材と、この装飾部材を透明又は半透明の部材で被覆した被覆部材とを有するものである。
【００１３】
また、請求項９記載の仏壇は、請求項１〜８のいずれかの仏壇において、基材は、ガラス、又は、強化ガラスであり、装飾部材は、模様を有した和紙である。
【００１４】
また、請求項１０記載の仏壇は、請求項１〜９のいずれかの仏壇において、装飾体は、基材と、この基材の一方の面に設けられた透光性を有する第１の装飾部材と、この第１の装飾部材を透明又は半透明の部材で被覆した第１の被覆部材と、前記基材の他方の面に設けられた透光性を有する第２の装飾部材と、この第２の装飾部材を透明又は半透明の部材で被覆した第２の被覆部材とを有するものである。
【００１５】
また、請求項１１記載の仏壇用経机は、経机本体と、この経机本体内に設けられると共に、前記経机本体の天板を下方より照らす光源と、前記経机本体の天板に取り付けられた装飾体と、この装飾体は、透明又は半透明の基材と、この基材の一方の面に設けられた透光性を有する装飾部材と、この装飾部材を透明又は半透明の部材で被覆した被覆部材とを有するものである。
【００１６】
また、請求項１２記載の仏壇用経机は、経机本体と、この経机本体内に設けられると共に、前記経机本体の天板を下方より照らす光源と、前記経机本体の天板の全体を構成した装飾体と、この装飾体は、透明又は半透明の基材と、この基材の一方の面に設けられた透光性を有する装飾部材と、この装飾部材を透明又は半透明の部材で被覆した被覆部材とを有するものである。
【００１７】
また、請求項１３記載の仏壇用経机は、請求項１１又は１２の仏壇用経机において、基材は、ガラス、又は、強化ガラスであり、装飾部材は、模様を有した和紙である。
ことを特徴とする
【００１８】
また、請求項１４記載の仏壇用経机は、請求項１１〜１３のいずれかの仏壇用経机において、装飾体は、基材と、この基材の一方の面に設けられた透光性を有する第１の装飾部材と、この第１の装飾部材を透明又は半透明の部材で被覆した第１の被覆部材と、前記基材の他方の面に設けられた透光性を有する第２の装飾部材と、この第２の装飾部材を透明又は半透明の部材で被覆した第２の被覆部材とを有するものである。
【考案の効果】
【００１９】
請求項１記載の仏壇によれば、扉に装飾体を設けたため、扉を閉めて、例えば、本体内に設けた光源からの光が装飾体に投光され、装飾効果を高めることができ、しかも、装飾部材は基材と被覆部材によりサンドイッチ状に位置しているため、装飾部材を簡易に閉じ込めて装飾効果を高めることができると共に、装飾部材の損傷をも防止し、装飾効果を維持することができる。
【００２０】
また、請求項２記載の仏壇によれば、厨子扉に装飾体を設けたため、厨子扉を閉めて、例えば、厨子の内部に設けた光源からの光が装飾体に投光され、装飾効果を高めることができ、しかも、装飾部材は基材と被覆部材によりサンドイッチ状に位置しているため、装飾部材を簡易に閉じ込めて装飾効果を高めることができると共に、装飾部材の損傷をも防止し、装飾効果を維持することができる。
【００２１】
また、請求項３又は４記載の仏壇によれば、欄間に取り付け又は前記欄間の全体を構成した装飾体により、本体の正面開口部を開き、例えば、本体の内部に設けられた光源からの光が装飾体に投光され、装飾効果を高めることができ、しかも、装飾部材は基材と被覆部材によりサンドイッチ状に位置しているため、装飾部材を簡易に閉じ込めて装飾効果を高めることができると共に、装飾部材の損傷をも防止し、装飾効果を維持することができる。
【００２２】
また、請求項５又は６記載の仏壇によれば、飾り板に取り付け又は前記飾り板の全体を構成した装飾体により、室内に設けられた光源からの光が装飾体に投光され、装飾効果を高めることができ、しかも、装飾部材は基材と被覆部材によりサンドイッチ状に位置しているため、装飾部材を簡易に閉じ込めて装飾効果を高めることができると共に、装飾部材の損傷をも防止し、装飾効果を維持することができる。
【００２３】
また、請求項７又は８記載の仏壇によれば、受台に取り付け又は前記受台の全体を構成した装飾体により、受台を下方より照らす光源からの光が装飾体に投光され、装飾効果を高めることができ、しかも、装飾部材は基材と被覆部材によりサンドイッチ状に位置しているため、装飾部材を簡易に閉じ込めて装飾効果を高めることができると共に、装飾部材の損傷をも防止し、装飾効果を維持することができる。
【００２４】
また、請求項９記載の仏壇によれば、上述した請求項１〜８記載の考案の効果に加え、特に、扁平状の和紙を簡易に閉じ込めて装飾効果を高めることができると共に、和紙の損傷をも防止し、装飾効果を維持することができる。
【００２５】
また、請求項１０記載の仏壇によれば、上述した請求項１〜９記載の考案の効果に加え、基材の一方の面に第１の装飾部材が、基材の他方の面に第２の装飾部材が、それぞれ位置するため、装飾効果をより高めることができる。
【００２６】
また、請求項１１又は１２記載の仏壇用経机によれば、経机本体の天板に取り付け又は前記経机本体の天板の全体を構成した装飾体により、経机本体内に設けられた光源からの光が装飾体に投光され、装飾効果を高めることができ、しかも、装飾部材は基材と被覆部材によりサンドイッチ状に位置しているため、装飾部材を簡易に閉じ込めて装飾効果を高めることができると共に、装飾部材の損傷をも防止し、装飾効果を維持することができる。
【００２７】
また、請求項１３記載の仏壇用経机によれば、上述した請求項１１又は１２記載の考案の効果に加え、特に、扁平状の和紙を簡易に閉じ込めて装飾効果を高めることができると共に、和紙の損傷をも防止し、装飾効果を維持することができる。
【００２８】
また、請求項１４記載の仏壇用経机によれば、上述した請求項１１〜１３記載の考案の効果に加え、基材の一方の面に第１の装飾部材が、基材の他方の面に第２の装飾部材が、それぞれ位置するため、装飾効果をより高めることができる。
【考案を実施するための最良の形態】
【００２９】
本考案の一実施例の仏壇を図面を参照して説明する。
図１、図４及び図５において、Ｂは仏壇で、仏壇Ｂは、一対の側板１１、１１と天井板１２と底板１３と背板１４とで箱形に形成した本体１と、この本体１の正面開口部１ａを開閉する扉２、２とで、概略的に構成されている。扉２、２の開閉は、手動又は自動で行うことができるようになっている。
【００３０】
３、３は、厨子４の正面開口部を開閉する厨子扉で、５は、本体１内の上部に取り付けられた欄間で、６は、本体１の正面開口部１ａに対向し、本体１内に取り付けられた飾り板である。７は、飾り板６の後方に設けられた室である。
また、８、８’は、本体１内に設けられると共に、仏具を載せる受台で、９は、受台８’の下方に設けられた室である。
また、１０は、本体１内に設けられた光源で、１１は、本体１内の厨子４の内部に設けられた光源で、１２は、室７内に設けられた光源で、１３’は、室９内に設けられた光源である。これら光源１０、１１、１２、１３’は、例えば、蛍光灯、ＬＥＤ等である。  
【００３１】
また、２０は装飾体で、装飾体２０は、扉２、２、厨子扉３、３、欄間５（又は、図示しないが、欄間５の全体を装飾体２０で構成しても良い。）、飾り板６（又は、図示しないが、飾り板６の全体を装飾体２０で構成しても良い。）、受台８、８’にそれぞれ取り付けられている。
装飾体２０は、例えば、図２及び図５に示すように、扉２の開口縁部２ａ、厨子扉３の開口縁部３ａ、欄間５の開口縁部５ａ、飾り板６の開口縁部６ａに、受台８の開口縁部８ａに、受台８’の開口縁部８’ａに、それぞれ接着剤等を介して取り付けられる。
【００３２】
上述した装飾体２０は、図３に示すように、透明又は半透明の基材２０１と、この基材２０１の一方の面に設けられた透光性を有する装飾部材２０２と、この装飾部材２０２を透明又は半透明の部材で被覆した被覆部材２０３とで構成されている。
なお、基材２０１は、例えば、ガラス、強化ガラス、アクリル板等であるが、耐熱性の点からガラス、強化ガラスが望ましい。
また、装飾部材２０２は、透光性を有するものであれば良く、例えば、模様を有した和紙である。模様を有した和紙で腰がなくても、透明又は半透明の被覆部材２０３で被覆することにより、剛性を保つことができる。
また、装飾部材２０２は基材２０１と被覆部材２０３によりサンドイッチ状に位置しているため、装飾部材２０２を簡易に閉じ込めて装飾効果を高めることができると共に、装飾部材２０２の損傷をも防止し、装飾効果を維持することができる。
【００３３】
従って、上述した仏壇Ｂによれば、扉２、２を閉めて（図１参照）、例えば、本体１内に設けた光源１０からの光が装飾体２０に投光され、装飾効果を高めることができ、しかも、装飾部材２０２は基材２０１と被覆部材２０３によりサンドイッチ状に位置しているため、装飾部材２０２を簡易に閉じ込めて装飾効果を高めることができると共に、装飾部材２０２の損傷をも防止し、装飾効果を維持することができる。
【００３４】
また、厨子扉３、３に取り付けられた装飾体２０の場合、厨子扉３、３に取り付けられた装飾体２０により、厨子扉３、３を閉めて（図４参照）、例えば、厨子４の内部に設けた光源１１からの光が装飾体２０に投光され、装飾効果を高めることができ、しかも、装飾部材２０２は基材２０１と被覆部材２０３によりサンドイッチ状に位置しているため、装飾部材２０２を簡易に閉じ込めて装飾効果を高めることができると共に、装飾部材２０２の損傷をも防止し、装飾効果を維持することができる。
【００３５】
また、欄間５に取り付けられた装飾体２０の場合、欄間５に取り付けられ（図示では、欄間５に装飾体２０を取り付けているが、場合により、欄間５の全体を装飾体２０で構成しても良い。）た装飾体２０により、本体１の正面開口部１ａを開き（図４参照）、例えば、本体１の内部に設けた光源１０からの光が装飾体２０に投光され、装飾効果を高めることができ、しかも、装飾部材２０２は基材２０１と被覆部材２０３によりサンドイッチ状に位置しているため、装飾部材２０２を簡易に閉じ込めて装飾効果を高めることができると共に、装飾部材２０２の損傷をも防止し、装飾効果を維持することができる。
【００３６】
また、飾り板６に取り付けられた装飾体２０の場合、飾り板６に取り付け（図示では、飾り板６に装飾体２０を取り付けているが、場合により、飾り板６の全体を装飾体２０で構成しても良い。）た装飾体２０により、室７内に取り付けられた光源１２からの光が装飾体２０に投光され、装飾効果を高めることができ、しかも、装飾部材２０２は基材２０１と被覆部材２０３によりサンドイッチ状に位置しているため、装飾部材２０２を簡易に閉じ込めて装飾効果を高めることができると共に、装飾部材２０２の損傷をも防止し、装飾効果を維持することができる。
【００３７】
また、受台８、８’に取り付けた装飾体２０の場合、受台８、８’に取り付け（図示では、受台８、８’に装飾体２０を取り付けているが、場合により、受台８、８’の全体を装飾体２０で構成しても良い。）た装飾体２０により、受台８、８’を下方より照らす光源１２、１３’からの光が装飾体２０に投光され、装飾効果を高めることができ、しかも、装飾部材２０２は基材２０１と被覆部材２０３によりサンドイッチ状に位置しているため、装飾部材２０２を簡易に閉じ込めて装飾効果を高めることができると共に、装飾部材２０２の損傷をも防止し、装飾効果を維持することができる。
【００３８】
また、上述した実施例にあっては、装飾体２０を仏壇Ｂに適用した例について説明したが、本願考案はこれに限らず、装飾体２０を、例えば、図６及び図７記載の仏壇用経机Ｂ’にも同様に適用することができる。  
即ち、１’は、経机本体で、１０’は、経机本体１’内に設けられると共に、経机本体１’の天板１２’を下方より照らす光源である。２０は、経机本体１’の天板１２’に取り付けた装飾体である。
なお、図示では、天板１２’の一部に装飾体２０を取り付けているが、場合により、天板１２’の全体を装飾体２０で構成しても良い。
この装飾体２０は、上述の実施例（図３記載）と同様、透明又は半透明の基材２０１と、この基材２０１に当接した透光性を有する装飾部材２０２と、この装飾部材２０２を透明又は半透明の部材で被覆した被覆部材２０３とを有する。
【００３９】
この仏壇用経机Ｂ’によれば、経机本体１’の天板１２’に取り付け又は経机本体１’の天板１２’の全体を構成した装飾体２０により、経机本体１’内に設けられた光源１０’からの光が装飾体２０に投光され、装飾効果を高めることができ、しかも、装飾部材２０２は基材２０１と被覆部材２０３によりサンドイッチ状に位置しているため、装飾部材２０２を簡易に閉じ込めて装飾効果を高めることができると共に、装飾部材２０２の損傷をも防止し、装飾効果を維持することができる。
なお、仏壇用経机Ｂ’は、仏壇Ｂと別個独立に設けたが、本願考案にあっては、これに限らず、仏壇用経机Ｂ’を仏壇Ｂ内に摺動自在に設けるようにしても良い。
【００４０】
また、上述した実施例の装飾体２０にあっては、装飾部材２０２を基材２０１の一方の面に設けたが、本願考案はこれに限らず、例えば、図８に示すように、基材２０１の両面に設けるようにしても良い。
即ち、装飾体２０は、基材２０１と、この基材２０１の一方の面に設けられた透光性を有する第１の装飾部材２０２と、この第１の装飾部材２０２を透明又は半透明の部材で被覆した第１の被覆部材２０３と、基材２０１の他方の面に設けられた透光性を有する第２の装飾部材２０４と、この第２の装飾部材２０４を透明又は半透明の部材で被覆した第２の被覆部材２０５とを有するようにしても良い。
この装飾体２０によれば、基材２０１の一方の面に第１の装飾部材２０２が、基材２０１の他方の面に第２の装飾部材２０４が、それぞれ位置するため、装飾効果をより高めることができる。
【図面の簡単な説明】
【００４１】
【図１】図１は、本考案の一実施例の仏壇の概略的正面図である。
【図２】図２は、図１の２−２線による概略的断面図である。
【図３】図３は、図２の装飾体の概略的拡大断面図である。
【図４】図４は、図１の仏壇の扉を開いた状態の概略的正面図である。
【図５】図５は、図４の５−５線による概略的断面図である。
【図６】図６は、図１と異なる他の実施例の経机本体の概略的斜視図である。
【図７】図７は、図６の７−７線による概略的断面図である。
【図８】図８は、図３と異なる他の実施例の装飾体の概略的拡大断面図である。
【符号の説明】
【００４２】
Ｂ     …仏壇
１     …本体
２     …扉
１０   …光源
２０   …装飾体
２０１ …基材
２０２ …装飾部材
２０３ …被覆部材
【図１】
0003144818.tif 000003
【図２】
0003144818.tif 000004
【図３】
0003144818.tif 000005
【図４】
0003144818.tif 000006
【図５】
0003144818.tif 000007
【図６】
0003144818.tif 000008
【図７】
0003144818.tif 000009
【図８】
0003144818.tif 000010